【事件の表示】
　特許第２９５６６６１号に関する訂正審判事件について、次のとおり審決する。
【結　論】
　特許第２９５６６６１号に係る明細書及び図面を本件審判請求書に添付された訂正明細書及び図面のとおり訂正することを認める。
【理　由】
１．手続の経緯
　本件特許第２９５６６６１号の請求項１ないし１２に係る発明は、平成９年７月１４日に特許出願され、平成１１年７月２３日にその特許の設定登録がなされ、その後、大角修三より本件の請求項１ないし６に係る発明に対して特許異議の申立てがなされ、取消理由通知がなされ、その指定期間内に訂正請求がなされ、平成１４年２月２６日付けで、「訂正を認める。特許第２９５６６６１号の請求項１ないし６に係る特許を取り消す。」旨の異議の決定がなされた。
　本件請求人は、該異議の決定を取り消すべき旨の訴をし、その訴は平成１４年（行ケ）第１８１号として審理中である。
　本件は、平成１４年１２月１８日に審判請求されたものである。
　
２．訂正の要旨
　本件審判請求の要旨は、特許第２９５６６６１号（以下、「本件特許」という。）に係る明細書及び図面を本件審判請求書に添付された訂正明細書及び図面のとおりに訂正することを求めるものであって、その訂正の内容は次のとおりである。
　
（１）訂正事項ａ
　特許請求の範囲の減縮を目的として、請求項１の
「前記ディーラー用機器と前記コンピュータシステムとの間の交信内容に基いて少なくとも各ディーラーの各ユーザーに対する個別取引条件を特定するユーザー管理手段と、
　前記ユーザー用機器から前記コンピュータシステムに接続操作が行われた場合にユーザーおよびこのユーザーに対応するディーラーを特定し、このディーラー特有の応答信号を前記ユーザー用機器に返信する受注代行手段と、
　前記ユーザー用機器から前記コンピュータシステムに発信された発注情報に基いてユーザーが発注した商品を特定し、その商品を前記個別取引条件に見合う態様で前記ユーザーに提供できるようにするための処理を行う情報処理手段とを具備してなる」を
「前記ネットワークセンター用のコンピュータシステムに、
　前記ディーラー用機器と前記コンピュータシステムとの間の交信内容に基いて各ディーラーの各ユーザーに対する個別取引条件を特定し、ユーザー別商品データを作成するためのユーザー管理手段と、
　前記ユーザー用機器から前記コンピュータシステムに接続操作が行われた場合にユーザーおよびこのユーザーに対応するディーラーを特定し、このディーラー特有の応答信号を前記ユーザー用機器に返信する受注代行手段と、
　前記ユーザー用機器から前記コンピュータシステムに発信された発注情報に基いてユーザーが発注した商品を特定し、その商品を前記個別取引条件に見合う態様で前記ユーザーに提供できるようにするための処理を行う情報処理手段とを具備させてなる」と訂正する。
　
（２）訂正事項ｂ
　特許請求の範囲の減縮を目的として、請求項２の
「前記ディーラー用機器と前記コンピュータシステムとの間の交信内容に基いて各ディーラーの各ユーザーに対する個別取引条件を特定し、その個別取引条件を商品関連データに付加してユーザー別商品データを作成するためのユーザー管理手段と、
　前記ユーザー用機器から前記コンピュータシステムに接続操作が行われた場合にユーザーおよびこのユーザーに対応するディーラーを特定し、このディーラー特有の応答信号を前記ユーザー用機器に返信する受注代行手段と、
　前記ユーザー用機器から前記コンピュータシステムに発信された発注情報に基いてユーザーが発注した商品を特定し、その商品を前記個別取引条件に見合う態様で前記ユーザーに提供できるようにするための処理を行う情報処理手段とを具備してなり、」を
「前記ネットワークセンター用のコンピュータシステムに、
　前記ディーラー用機器と前記コンピュータシステムとの間の交信内容に基いて各ディーラーの各ユーザーに対する個別取引条件を特定し、その個別取引条件を商品関連データに付加してユーザー別商品データを作成するためのユーザー管理手段と、
　前記ユーザー用機器から前記コンピュータシステムに接続操作が行われた場合にユーザーおよびこのユーザーに対応するディーラーを特定し、このディーラー特有の応答信号を前記ユーザー用機器に返信する受注代行手段と、
　前記ユーザー用機器から前記コンピュータシステムに発信された発注情報に基いてユーザーが発注した商品を特定し、その商品を前記個別取引条件に見合う態様で前記ユーザーに提供できるようにするための処理を行う情報処理手段とを具備させてなり、」と訂正する。
　
（３）訂正事項ｃ
　特許請求の範囲の減縮を目的として、請求項３の
「前記ディーラー用機器と前記コンピュータシステムとの間の交信内容に基いて各ディーラーの各ユーザーに対する個別取引条件を特定し、その個別取引条件を商品関連データに付加してユーザー別商品データを作成するためのユーザー管理手段と、
　前記ユーザー用機器から前記コンピュータシステムに接続操作が行われた場合にユーザーおよびこのユーザーに対応するディーラーを特定し、このディーラー特有の応答信号を前記ユーザー用機器に返信する受注代行手段と、
　前記ユーザー用機器から前記コンピュータシステムに発信された発注情報に基いてユーザーが発注した商品を特定し、その商品を前記個別取引条件に見合う態様で前記ユーザーに提供できるようにするための処理を行う情報処理手段と、
　前記ユーザー別商品データを利用して個別取引条件を加味したユーザー別専用カタログを編集するカタログ編集手段とを具備してなる」を
「前記ネットワークセンター用のコンピュータシステムに、
　前記ディーラー用機器と前記コンピュータシステムとの間の交信内容に基いて各ディーラーの各ユーザーに対する個別取引条件を特定し、その個別取引条件を商品関連データに付加してユーザー別商品データを作成するためのユーザー管理手段と、
　前記ユーザー用機器から前記コンピュータシステムに接続操作が行われた場合にユーザーおよびこのユーザーに対応するディーラーを特定し、このディーラー特有の応答信号を前記ユーザー用機器に返信する受注代行手段と、
　前記ユーザー用機器から前記コンピュータシステムに発信された発注情報に基いてユーザーが発注した商品を特定し、その商品を前記個別取引条件に見合う態様で前記ユーザーに提供できるようにするための処理を行う情報処理手段と、
　前記ユーザー別商品データを利用して個別取引条件を加味したユーザー別専用カタログを編集するカタログ編集手段とを具備させてなる」に訂正する。
　
（４）訂正事項ｄ
　明りょうでない記載の釈明を目的として、明細書の発明の詳細な説明における段落【０００８】の
「そして、前記ディーラー用機器と前記コンピュータシステムとの間の交信内容に基いて少なくとも各ディーラーの各ユーザーに対する個別取引条件を特定するユーザー管理手段と、前記ユーザー用機器から前記コンピュータシステムに接続操作が行われた場合にユーザーおよびこのユーザーに対応するディーラーを特定し、このディーラー特有の応答信号を前記ユーザー用機器に返信する受注代行手段と、前記ユーザー用機器から前記コンピュータシステムに発信された発注情報に基いてユーザーが発注した商品を特定し、その商品を前記個別取引条件に見合う態様で前記ユーザーに提供できるようにするための処理を行う情報処理手段とを具備してなるものとする。」を
「そして、前記ネットワークセンター用のコンピュータシステムに、前記ディーラー用機器と前記コンピュータシステムとの間の交信内容に基いて各ディーラーの各ユーザーに対する個別取引条件を特定し、ユーザー別商品データを作成するためのユーザー管理手段と、前記ユーザー用機器から前記コンピュータシステムに接続操作が行われた場合にユーザーおよびこのユーザーに対応するディーラーを特定し、このディーラー特有の応答信号を前記ユーザー用機器に返信する受注代行手段と、前記ユーザー用機器から前記コンピュータシステムに発信された発注情報に基いてユーザーが発注した商品を特定し、その商品を前記個別取引条件に見合う態様で前記ユーザーに提供できるようにするための処理を行う情報処理手段とを具備させてなるものとする。」に訂正する。
　
３．訂正の適否
　
３−１．訂正の目的の適否、新規事項の有無及び拡張・変更の存否
　
（１）訂正事項ａについて
　訂正前の請求項１においては、「・・・ユーザー管理手段と、・・・受注代行手段と、・・・情報処理手段とを具備してなる」とのみ記載されており、これら「ユーザー管理手段」、「受注代行手段」、および「情報処理手段」が、何に具備されているか限定されていなかったものを、訂正後の請求項１においては、「ネットワークセンター用のコンピュータシステム」に、「ユーザー管理手段」と、「受注代行手段」と、「情報処理手段」とを具備させてなるものである点を限定したものである。
　この訂正事項は、出願当初明細書の段落【００１７】の「前記コンピュータシステム３を構成するハードウェアとソフトウェアとに、これらユーザー管理手段ａ、受注代行手段ｂ、及び情報処理手段ｃとしての役割を担わせるのがよいが」とある記載や、出願当初明細書に添付した「図１」の内容を根拠とするものである。
　また、訂正前の請求項１においては、「前記ディーラー用機器と前記コンピュータシステムとの間の交信内容に基いて少なくとも各ディーラーの各ユーザーに対する個別取引条件を特定するユーザー管理手段」とのみ記載されており、「ユーザー管理手段」がユーザー別商品データを作成するためのものである点までは限定されていなかったものを訂正後の請求項１においては、「ユーザー管理手段」が、個別取引条件を特定し、ユーザー別商品データを作成するためのものである点を限定したものである。
　この訂正事項は、出願当初明細書の特許請求の範囲の欄における請求項２および請求項３にそれぞれ存在する「・・・ユーザー別商品データを作成するためのユーザー管理手段」という記載や、段落【００１７】の「・・・ユーザー別商品データｎを作成するユーザー管理手段」とある記載を根拠にするものである。
　したがって、上記訂正事項ａは、特許請求の範囲の減縮に該当し、新規事項の追加に該当せず、実質的に特許請求の範囲を拡張又は変更するものではない。
　
（２）訂正事項ｂについて
　訂正前の請求項２においては、「・・・ユーザー管理手段と、・・・受注代行手段と、・・・情報処理手段とを具備してなる」とのみ記載されており、これら「ユーザー管理手段」、「受注代行手段」、および「情報処理手段」が、何に具備されているか限定されていなかったものを、訂正後の請求項２においては、「ネットワークセンター用のコンピュータシステム」に、「ユーザー管理手段」と、「受注代行手段」と、「情報処理手段」とを具備させてなるものである点を限定したものである。
　この訂正事項は、出願当初明細書の段落【００１７】の「前記コンピュータシステム３を構成するハードウェアとソフトウェアとに、これらユーザー管理手段ａ、受注代行手段ｂ、及び情報処理手段ｃとしての役割を担わせるのがよいが」とある記載や、出願当初明細書に添付した「図１」の内容を根拠とするものである。
　したがって、上記訂正事項ｂは、特許請求の範囲の減縮に該当し、新規事項の追加に該当せず、実質的に特許請求の範囲を拡張又は変更するものではない。
　
（３）訂正事項ｃについて
　訂正前の請求項３においては、「・・・ユーザー管理手段と、・・・受注代行手段と、・・・情報処理手段と、・・・カタログ編集手段とを具備してなる」とのみ記載されており、これら「ユーザー管理手段」、「受注代行手段」、「情報処理手段」、および「カタログ編集手段」が、何に具備されているか限定されていなかったものを、訂正後の請求項３においては、「ネットワークセンター用のコンピュータシステム」に、「ユーザー管理手段」と、「受注代行手段」と、「情報処理手段」と、「カタログ編集手段」とを具備させてなるものである点を限定したものである。
　この訂正事項は、出願当初明細書の段落【００１７】の「前記コンピュータシステム３を構成するハードウェアとソフトウェアとに、これらユーザー管理手段ａ、受注代行手段ｂ、及び情報処理手段ｃとしての役割を担わせるのがよいが」とある記載、出願当初明細書の段落【００１９】の「前述したユーザー管理手段ａ、受注代行手段ｂ、及び、情報処理手段ｃに加えて、・・・カタログ編集手段ｇを設けるのが望ましい。」という記載、及び、出願当初明細書に添付した「図１」の内容を根拠とするものである。
　したがって、上記訂正事項ｃは、特許請求の範囲の減縮に該当し、新規事項の追加に該当せず、実質的に特許請求の範囲を拡張又は変更するものではない。
　
（４）訂正事項ｄについて
　請求項１を訂正したため、請求項１の記載と整合を取るための訂正であり、明りょうでない記載の釈明に該当し、新規事項の追加に該当せず、実質的に特許請求の範囲を拡張又は変更するものではない。
　
３−２．むすび
　以上のように、上記訂正事項ａ〜ｃは、特許法第１２６条第１項ただし書第１号に規定する特許請求の範囲の減縮に該当するほか、出願当初の明細書又は図面に記載した事項の範囲内においてなされたものであり、実質上特許請求の範囲を拡張し、又は変更するものでないから、特許法第１２６条第２項および第３項の規定にも適合するものである。上記訂正事項ｄは、特許法第１２６条第１項ただし書第３号に規定する明りょうでない記載の釈明に該当するほか、出願当初の明細書又は図面に記載した事項の範囲内においてなされたものであり、実質上特許請求の範囲を拡張し、又は変更するものでないから、特許法第１２６条第２項および第３項の規定にも適合するものである。
　
４．独立特許要件
　
４−１．訂正後の発明
　訂正後の請求項１ないし３に係る発明は、訂正請求書に添付された訂正明細書の特許請求の範囲の請求項１ないし３に記載された次のとおりのものである。
「【請求項１】ユーザーがそれぞれ使用するユーザー用機器と、各ユーザーと商談を行う立場にあるディーラーがそれぞれ使用するディーラー用機器と、これらディーラー用機器および前記ユーザー用機器とそれぞれ通信可能なネットワークセンター用のコンピュータシステムとを利用する流通支援設備であって、
　前記ネットワークセンター用のコンピュータシステムに、
　前記ディーラー用機器と前記コンピュータシステムとの間の交信内容に基いて各ディーラーの各ユーザーに対する個別取引条件を特定し、ユーザー別商品データを作成するためのユーザー管理手段と、
　前記ユーザー用機器から前記コンピュータシステムに接続操作が行われた場合にユーザーおよびこのユーザーに対応するディーラーを特定し、このディーラー特有の応答信号を前記ユーザー用機器に返信する受注代行手段と、
　前記ユーザー用機器から前記コンピュータシステムに発信された発注情報に基いてユーザーが発注した商品を特定し、その商品を前記個別取引条件に見合う態様で前記ユーザーに提供できるようにするための処理を行う情報処理手段とを具備させてなることを特徴とする流通支援設備。
【請求項２】ユーザーがそれぞれ使用するユーザー用機器と、各ユーザーと商談を行う立場にあるディーラーがそれぞれ使用するディーラー用機器と、これらディーラー用機器および前記ユーザー用機器とそれぞれ通信可能なネットワークセンター用のコンピュータシステムとを利用する流通支援設備であって、
　前記ネットワークセンター用のコンピュータシステムに、
　前記ディーラー用機器と前記コンピュータシステムとの間の交信内容に基いて各ディーラーの各ユーザーに対する個別取引条件を特定し、その個別取引条件を商品関連データに付加してユーザー別商品データを作成するためのユーザー管理手段と、
　前記ユーザー用機器から前記コンピュータシステムに接続操作が行われた場合にユーザーおよびこのユーザーに対応するディーラーを特定し、このディーラー特有の応答信号を前記ユーザー用機器に返信する受注代行手段と、
　前記ユーザー用機器から前記コンピュータシステムに発信された発注情報に基いてユーザーが発注した商品を特定し、その商品を前記個別取引条件に見合う態様で前記ユーザーに提供できるようにするための処理を行う情報処理手段とを具備させてなり、
　前記受注代行手段による応答信号が、少なくとも特定ディーラーのウエルカム画面を対応するユーザー用機器のディスプレーに表示させるための信号と、対応するユーザー別商品データ等に対する商品検索用画面を前記ディスプレーに表示させるための信号を含んでいることを特徴とする流通支援設備。
【請求項３】ユーザーがそれぞれ使用するユーザー用機器と、各ユーザーと商談を行う立場にあるディーラーがそれぞれ使用するディーラー用機器と、これらディーラー用機器および前記ユーザー用機器とそれぞれ通信可能なネットワークセンター用のコンピュータシステムとを利用する流通支援設備であって、
　前記ネットワークセンター用のコンピュータシステムに、
　前記ディーラー用機器と前記コンピュータシステムとの間の交信内容に基いて各ディーラーの各ユーザーに対する個別取引条件を特定し、その個別取引条件を商品関連データに付加してユーザー別商品データを作成するためのユーザー管理手段と、
　前記ユーザー用機器から前記コンピュータシステムに接続操作が行われた場合にユーザーおよびこのユーザーに対応するディーラーを特定し、このディーラー特有の応答信号を前記ユーザー用機器に返信する受注代行手段と、
　前記ユーザー用機器から前記コンピュータシステムに発信された発注情報に基いてユーザーが発注した商品を特定し、その商品を前記個別取引条件に見合う態様で前記ユーザーに提供できるようにするための処理を行う情報処理手段と、
　前記ユーザー別商品データを利用して個別取引条件を加味したユーザー別専用カタログを編集するカタログ編集手段とを具備させてなることを特徴とする流通支援設備。」（以下、請求項順に「訂正発明１」〜「訂正発明３」という。）
　
４−２．引用刊行物に記載された発明
　本件特許に対して、特許異議申立人が提出した刊行物１（特開平９−１６７１８５号公報）、刊行物２（特表平８−５００２０１号公報）、及び上記訴の手続において当審が知ることとなった刊行物３（特開平５−２６６０３３号公報）、刊行物４（特開平６−１４１１００号公報）には、それぞれ以下の事項が記載されている。
　
（刊行物１）
（ア）「以下の要素を有するコンピュータネットワークを用いたオンラインショッピングシステム
（ａ）商品の情報を記憶し、ショッピングモール用ネットワークを介して商品のショッピングモールを提供する販売店システム、（ｂ）上記ショッピングモール用ネットワークに接続され、上記ショッピングモール用ネットワークに対して上記販売店システムにより提供された上記ショッピングモールから、購入する商品を選択する商品選択部と、選択した商品の情報を上記販売店システムからショッピングモール用ネットワークを介してダウンロードするダウンロード部と、上記ショッピングモール用ネットワークとは異なる決済用ネットワークを設定し、上記決済用ネットワークを用いて選択した商品の情報と、その商品の代金決済の情報と、その商品を選択したユーザの情報とを、第１のプロトコルに基づいて伝送する伝送部とを備えたユーザシステム、（ｃ）上記ユーザシステムから上記決済用ネットワークを介して選択した商品の情報と、その商品の代金決済の情報と、その商品を選択したユーザの情報とを受信し、決済処理を行うサービスセンタ。」（特許請求の範囲の請求項１）
（イ）「図１において、Ａ販売店のＡ販売店システム２ａは、ショッピングモールＡ３ａをコンピュータネットワーク４に接続して、ユーザに対してショッピング情報を提供している。同じように、Ｂ販売店のＢ販売店システム２ｂはショッピングモールＢ３ｂを、Ｃ販売店のＣ販売店システム２ｃはショッピングモールＣ３ｃを、それぞれコンピュータネットワーク４に接続して、ユーザに対してショッピング情報を提供している。ユーザは、コンピュータを有するユーザシステム５をコンピュータネットワーク４に接続して、上記ショッピングモールＡ３ａ〜ショッピングモールＣ３ｃのショッピング情報を参照し、購入する商品の注文を行うことができる。」（公報第５頁第７欄第４６行目〜第８欄第８行目）
（ウ）「各販売店システム２ａ〜２ｃは、サービスセンタ７より受信した商品データ、個人データ２２を基に、ユーザ宛に注文された商品の配達２３を行う。」（公報第５頁第８欄第２０〜２３行目）
（エ）「各販売店システム２ａ〜２ｃは、発送処理部１９を備えている。この発送処理部１９は、例えば、パーソナルコンピュータ又は業務用端末に備えられている。発送処理部１９は、サービスセンタ７より受信した商品データ、個人データ２２から発送指示を出力し、各販売店は、発送指示を基にユーザに対して商品配達２３を行う。例えば、小包郵便によって商品の配達を行う。」（公報第５頁第８欄第３８〜４４行目）
（オ）「図４は、この発明におけるショッピングモールＡの案内画面の一例を示す図である。案内画面３０は、ユーザがコンピュータネットワーク４を介してＡ販売店システム２ａのショッピングモールＡ３ａに、ＰＣを接続すると、始めにＰＣの画面に表示される案内画面である。案内画面３０は、ユーザに対してショッピングモールＡ３ａにおいて、オンラインショッピングを行う時の利用方法を説明する画面である。」（公報第６頁第１０欄第１８〜２５行目）
（カ）「図５は、この発明におけるショッピングモールＡにおける商品リスト画面の一例を示す図である。商品リスト画面３１は、ショッピングモールＡ３ａにおいて、販売中の商品リストを表示している画面である。ユーザは、商品リスト画面３１を参照しながら、購入を希望する商品を「ＭＡＲＫ」をクリックして選択する。この作業は、商品選択部８が行うものである。」（公報第６頁第１０欄第２６〜３２行目）
（キ）「始めに、ユーザは、ユーザのコンピュータをコンピュータネットワーク４であるＩｎｔｅｒｎｅｔに接続し、オンラインショッピングを選択する。そして、販売店システム２ａ〜２ｃが提供しているショッピングモールＡ３ａ〜ショッピングモールＣ３ｃの中から、ショッピングをしたいモールを選択し接続する（Ｓ１）。Ｉｎｔｅｒｎｅｔの接続及びショッピングモールとの接続は、通常のＩｎｔｅｒｎｅｔにおけるオンラインショッピングの接続方法と同様の方法とする。例えば、ユーザがショッピングモールＡ３ａを選択すると、図４のショッピングモールＡにおける案内画面３０がユーザのＰＣに表示される。」（公報第７頁第１１欄第５０行目〜第１２欄第１１行目）
（ク）「商品データ、個人データ２２をサービスセンタ７より受信した販売店システムは、発送処理部１９によって発注指示を出力し、注文された商品をユーザに対して配達する（図１における商品配達２３である）（Ｓ２０）。この時、商品毎に商品の発送方法や発送料金が商品データに格納されていれば、その情報を参照して発送処理を迅速に行うことができる。」（公報第８頁第１４欄第５０行目〜第９頁第１５欄第７行目）
　ここで、上記「販売店」は、「ユーザ」と商談を行う立場にあることは、いうまでもない。
　そうすると、刊行物１には、
　ユーザがそれぞれ使用するユーザシステムと、各ユーザと商談を行う立場にある販売店がそれぞれ使用する販売店システムと、これら販売店システムおよび前記ユーザシステムとを通信可能なように接続するコンピュータネットワークとを利用するオンラインショッピングシステムであって、
　前記販売店システムに、
　ユーザシステムからコンピュータネットワークを介して販売店システムに接続操作が行われた場合に、販売店システムは、この販売店特有の案内画面をユーザシステムに返信する手段と、
　前記ユーザシステムから前記コンピュータネットワークを介して前記販売店システムに発信された発注情報に基いてユーザが発注した商品を特定し、その商品を前記ユーザに提供できるようにするための処理を行う処理手段とを具備させてなるオンラインショッピングシステム、
が記載されているといえる。
　
（刊行物２）
（ケ）「本システムは前記中央サプライヤーに配置された中央計算機を備える。この中央計算機を例えばモデムを経て顧客、部門および外部販売業者の現場にあるコンピュータに連結する。これらの連結されたシステムを前記中央計算機と組合せると、顧客注文のデータ処理必要条件の取扱い、そのような注文を適当な部門または外部販売業者への経路指定、発注ずみ製品の受渡し、送状の作成と支払い、顧客アシスタントと報告書の起票のできるデータ処理網を形成する。」（公報第４頁第２２行目〜第５頁第１行目）
（コ）「前記中央計算機１００のデータベースに保守されている主要製品カタログ１２６は大量で、おのおのの顧客は準備段階中、その許可ユーザーに利用させてもよいカタログの部分を選択する。許可された顧客の従業員は前記オンラインサブシステムにログオンして、顧客データベースと実時間で対話して製品を注文、保留発注書の状態を調べて、カタログから直接注文する。
　顧客従業員が入力したデータを顧客データベース１０６に記憶させる。」（公報第６頁第２６行目〜第７頁第５行目）
（サ）「図４は取引きプログラム１０００を通る処理流れを高水準で示す流れ図である。ステップ１００２では、顧客がデータを検索し、顧客計算機システム１０４の顧客データベース１０６に入力する。」（公報第７頁第１６〜１８行目）
（シ）「主要品目カタログ１２６を個々の販売業者１０６からステップ１０２０で受取った情報を用いて更新する。主要品目カタログ情報が個々の顧客例えば個々の品目注文の許可を受けたものについてのデータを含んでいるので、おのおのの顧客データベースに記憶された顧客カタログは前記主品目カタログから容易に更新される。」（公報第８頁第１３〜１７行目）
（ス）「同様に、顧客カタログ（ＳＥＱ ＣＵＳ ＵＰＤＡＴＥＳ）１２２２についての最新情報をカタログデータベース１３６の更新ファイル項目１２２６に処理する。主計算機のマスタカタログデータベース１２６が顧客別、価格別におのおののカタログ品目と相関するので、個々の顧客カタログを容易に更新させる。そのうえ、特定の顧客についてのデータファイル例えば、顧客品目で売却先、請求先、仕向先および宛先１２２８を主要計算機システム１００で更新し、それをその後、顧客計算機に伝送し、顧客データベースの同様のデータベースファイル１２３２を更新する（ステップ１２３０）。」（公報第１１頁第１２〜１９行目）
（セ）「おのおのの販売者品目に対する顧客への価格をステップ１５６２で中央サプライヤーにより販売者原価ファイル１５６４からのデ一タを用い設定する。前記おのおのの品目の価格を個々の顧客に対して設定し、顧客品目カタログと品目価格１５５６のファイルにロードする。同様に、顧客価格と品目ファイルを販売業者品目デ一タがステップ１５６８で変更できる時に更新できる。」（公報第１６頁第４〜８行目）
　ここで、上記（ケ）、及び（コ）の記載からみて、上記刊行物２に記載されたシステムは、商品を注文するシステムであることが明らかであるから、「商品注文システム」であるといえる。
　また、上記（ケ）〜（セ）の記載からみて、上記「商品注文システム」は、基本的には、「中央サプライヤー」と「各顧客」の間で取引を行うものであり、「中央サプライヤー」が「各顧客」と商談を行う立場にあることが、明らかである。
　また、上記（ケ）、（シ）、（ス）及び（セ）の記載からみて、上記「商品注文システム」においては、「中央サプライヤーの中央計算機システム」が、「各顧客に対する取引条件を特定し、その個別取引条件を商品関連データに付加して顧客別商品データを作成する顧客管理手段」、及び「顧客カタログを編集するカタログ編集手段」を具備していることが、明らかである。
　また、上記（コ）、及び（サ）の記載からみて、上記「商品注文システム」においては、「中央サプライヤーの中央計算機システム」が、「商品データ等に対する商品検索用画面を顧客計算機システムのディスプレーに表示させるための手段」を具備していることが、明らかである。
　そうすると、刊行物２には、
　顧客がそれぞれ使用する顧客計算機システムと、各顧客と商談を行う立場にある中央サプライヤーが使用する中央サプライヤーの中央計算機システムとをそれぞれ通信可能とする商品注文システムであって、
　前記中央サプライヤーの中央計算機システムに、
　前記各顧客に対する取引条件を特定し、その個別取引条件を商品関連データに付加して顧客別商品データを作成する顧客管理手段と、
　前記顧客計算機システムから前記中央計算機システムに接続操作が行われた場合に、この中央サプライヤー特有の応答信号を前記顧客計算機システムに返信する受注手段と、
　前記顧客計算機システムから前記中央サプライヤーの中央計算機システムに発信された発注情報に基いて顧客が発注した商品を特定し、その商品を前記個別取引条件に見合う態様で前記顧客に提供できるようにするための処理を行う情報処理手段と、
　前記顧客別商品データを利用して個別取引条件を加味した顧客別専用カタログを編集するカタログ編集手段とを具備させてなる商品注文システム、
が記載されているといえる。
　
（刊行物３）
「【作用】本発明の上記構成によれば、消費者は駅前、マンション、団地などのアクセスの容易な場所に配設された多機能電話型の消費者用データ端末から商品注文を簡単に行うことができ、消費者用データ端末では消費者を特定するとともにその注文商品を通信機能付きデータ管理装置にデータ送信し、通信機能付きデータ管理装置で商品注文を各消費者毎及び販売店毎に識別してデータ管理しておき、各販売店はその端末から通信装置付きデータ管理装置にアクセスすることによって当該販売店に対する消費者別の商品注文を入力することができ、それに基づいて各消費者に商品を配達することにより、消費者は販売店に足を運ぶことなく買い物ができ、しかも消費者用データ端末は駅前などの便利な場所に消費者数に比して少数配設するだけでよくかつ通信装置付きデータ管理装置も比較的簡単な構成で安価なものを用い得るので、低コストで簡便に実現することができる。」（公報第２頁段落【０００７】）
　ここで、上記「通信機能付きデータ管理装置で商品注文を各消費者毎及び販売店毎に識別してデータ管理しておき」との記載からみて、上記「通信機能付きデータ管理装置」は、消費者からの注文を販売店に代わり受注する「受注代行手段」を有していることが、明らかである。
　そうすると、刊行物３には、
　消費者が使用する消費者用データ端末と、販売店がそれぞれ使用する販売店の端末と、これら販売店の端末および前記消費者用データ端末とそれぞれ通信可能な通信機能付きデータ管理装置を利用する販売システムであって、
　前記通信機能付きデータ管理装置に、受注代行手段を具備させてなる販売システム、
が記載されているといえる。
　
（刊行物４）
「・・・本発明の第２の実施例の詳細を図２１を参照して説明する。図２１における図の符号は第１図の場合と同一であり、サービス提供会社８及び商品供給会社９がそれぞれ会社群として示され、また、分散受注センタ６が倉庫を備える分散処理センタとして示されている。
　本発明の第２の実施例によるホームショッピングのシステムは、注文端末１と、受注処理機能６１及び配送処理機能６２を併せ持つ分散処理センタ６と、全情報を統括管理する情報処理センタ７と、全商品を統括管理する物流センタ１０とにより基幹システムが構成されており、家庭からの注文を家庭まで商品として届けることのできる一貫したシステムである。
　この基本システムを構築するホームショッビング会社は、様々なサービスを提供する企業群８とサービス提供の契約を結ぶ。これらの企業群８と情報処理センタ７とは、コンピュータを介して接続される。これにより、各家庭は、契約したサービス提供会社Ａ〜Ｃ８１のサービスが紹介される。
・・・・・
　各家庭では、購入したい商品があれば、注文端末１へ、その商品のサービス提供会社の企業ＩＤコードと商品のコードと数量とを入力する。この注文データは、図８により説明したような個人ＩＤコードＡが自動付加された注文電文とされて、分散処理センタ６内の受注コンピュータ６１へ送信される。
・・・受注コンピュータ６１は、回線を介して情報処理センタ７へこの注文データを送信する。情報処理センタ７では、この注文データ内の企業ＩＤコードを判断して、対応するサービス提供会社ファイル７１へその注文データを格納する。」（公報第８頁段落【００９０】〜【００９９】）
　そうすると、刊行物４には、
　各家庭が使用する注文端末と、商品供給会社がそれぞれ使用する商品供給会社のコンピュータと、これら商品供給会社のコンピュータおよび前記注文端末とそれぞれ通信可能な情報処理センタのコンピュータを利用するホームショッピングシステムであって、
　前記情報処理センタのコンピュータに、受注代行手段を具備させてなるホームショッピングシステム、
が記載されているといえる。
　
４−３．対比・判断
　
（１）訂正発明１について
　訂正発明１（以下、「前者」という。）と刊行物１に記載された発明（以下、「後者」という。）とを対比すると、後者の「ユーザ」、「ユーザシステム」、「販売店」、及び「販売店システム」は、それぞれ、前者の「ユーザー」、「ユーザー用機器」、「ディーラー」、及び「ディーラー用機器」に相当する。
　ここで、後者の「オンラインショッピングシステム」は、流通の支援を行うものであるから、「流通支援設備」であるといえる。
　そうすると、両者は、
　ユーザーがそれぞれ使用するユーザー用機器と、各ユーザーと商談を行う立場にあるディーラーがそれぞれ使用するディーラー用機器とをそれぞれ通信可能とする流通支援設備、
である点で一致する。
　しかしながら、刊行物１には、前者のように、「ディーラー用機器およびユーザー用機器とそれぞれ通信可能なネットワークセンター用のコンピュータシステムに、前記ディーラー用機器と前記コンピュータシステムとの間の交信内容に基いて各ディーラーの各ユーザーに対する個別取引条件を特定し、ユーザー別商品データを作成するためのユーザー管理手段と、前記ユーザー用機器から前記コンピュータシステムに接続操作が行われた場合にユーザーおよびこのユーザーに対応するディーラーを特定し、このディーラー特有の応答信号を前記ユーザー用機器に返信する受注代行手段と、前記ユーザー用機器から前記コンピュータシステムに発信された発注情報に基いてユーザーが発注した商品を特定し、その商品を前記個別取引条件に見合う態様で前記ユーザーに提供できるようにするための処理を行う情報処理手段とを具備させた」（構成要件Ａ）点については何ら記載がなく、またそのような構成を示唆する記載もない。
　
　次に、訂正発明１（以下、「前者」という。）と刊行物２に記載された発明（以下、「後者」という。）とを対比すると、後者の「顧客」、「顧客計算機システム」、「中央サプライヤー」、及び「中央サプライヤーの中央計算機システム」は、それぞれ、前者の「ユーザー」、「ユーザー用機器」、「ディーラー」、及び「ディーラー用機器」に相当する。
　ここで、後者の「商品注文システム」は、流通の支援を行うものであるから、「流通支援設備」であるといえる。
　そうすると、両者は、
　ユーザーがそれぞれ使用するユーザー用機器と、各ユーザーと商談を行う立場にあるディーラーが使用するディーラー用機器とをそれぞれ通信可能とする流通支援設備、
である点で一致する。
　しかしながら、刊行物２には、前者のような「構成要件Ａ」については何ら記載がなく、またそのような構成を示唆する記載もない。
　
　更に、刊行物３および４には、「ユーザーがそれぞれ使用するユーザー用機器と、ディーラーがそれぞれ使用するディーラー用機器と、これらディーラー用機器および前記ユーザー用機器とそれぞれ通信可能とするコンピュータシステムに、受注代行手段を具備させる」点が記載されているが、上記「構成要件Ａ」については何ら記載がなく、またそのような構成を示唆する記載もない。
　
　そして、訂正発明１は、上記「構成要件Ａ」を具備することにより、「各ユーザーは、好みのディーラーと直接に取引を行っているのと同様な感覚で適宜注文を出すことができ、また、商談等により取り決めた個別取引条件が反映された態様で注文した商品を受け取ることが可能になる。しかも、実際の注文情報は、コンピュータセンターに集められ処理されるため効率的であり、その効率向上により注文操作の簡略化や価格の低下、あるいは納期の短縮等、種々の恩恵を受けることができる。
　また、ディーラーにとっては、ユーザー毎に取引条件を変えることが可能になるため、商取引の自由度が高くなり、例えば、競争入札により獲得したユーザーに対してもこの流通支援設備を不具合なく使用することができる。しかも、ユーザーとネットワークセンターとの間で通信が行われる際には、その間に常にディーラーが仮想的に介在することになるため、ディーラーは各ユーザーと頻繁に事務的コンタクトをとることなしに親密な関係を維持することが可能となり、それにより節約できた時間をユーザーに対する実質的なサービス向上等に振り向けることができる。さらに、ディーラーはディーラー用機器を用いてネットワークセンターのコンピュータシステムにアクセスすることができるため、後述するような種々の情報交換を行うことができ、より付加価値の高い販売活動を効率良く展開することができる。
　さらに、ネットワークセンターは、各ユーザーとダイレクトパスを構築することができるため、ディーラーに事務的負担をかけることなしに全ての購買データを正確かつ迅速に収集し処理することができる。そのため、効率のよい配送手配を行うことが可能になるだけでなく、後述するような貴重な情報を生成し蓄積することができ、その情報を必要に応じてディーラーやユーザーに提供することも容易になる。」（段落【００７９】〜【００８１】）（効果Ａ）という格別の効果を奏するものと認められる。
　
　以上のとおりであるから、訂正発明１は、刊行物１ないし４に記載された発明に基づいて当業者が容易に発明をすることができたものとは認められない。
　
（２）訂正発明２について
　訂正発明２（以下、「前者」という。）と刊行物１に記載された発明（以下、「後者」という。）とを対比すると、後者の「ユーザ」、「ユーザシステム」、「販売店」、及び「販売店システム」は、それぞれ、前者の「ユーザー」、「ユーザー用機器」、「ディーラー」、及び「ディーラー用機器」に相当する。
　ここで、後者の「オンラインショッピングシステム」は、流通の支援を行うものであるから、「流通支援設備」であるといえる。
　そうすると、両者は、
　ユーザーがそれぞれ使用するユーザー用機器と、各ユーザーと商談を行う立場にあるディーラーがそれぞれ使用するディーラー用機器とをそれぞれ通信可能とする流通支援設備、
である点で一致する。
　しかしながら、刊行物１には、前者のように、「ディーラー用機器およびユーザー用機器とそれぞれ通信可能なネットワークセンター用のコンピュータシステムに、前記ディーラー用機器と前記コンピュータシステムとの間の交信内容に基いて各ディーラーの各ユーザーに対する個別取引条件を特定し、その個別取引条件を商品関連データに付加してユーザー別商品データを作成するためのユーザー管理手段と、前記ユーザー用機器から前記コンピュータシステムに接続操作が行われた場合にユーザーおよびこのユーザーに対応するディーラーを特定し、このディーラー特有の応答信号を前記ユーザー用機器に返信する受注代行手段と、前記ユーザー用機器から前記コンピュータシステムに発信された発注情報に基いてユーザーが発注した商品を特定し、その商品を前記個別取引条件に見合う態様で前記ユーザーに提供できるようにするための処理を行う情報処理手段とを具備させてなり、前記受注代行手段による応答信号が、少なくとも特定ディーラーのウエルカム画面を対応するユーザー用機器のディスプレーに表示させるための信号と、対応するユーザー別商品データ等に対する商品検索用画面を前記ディスプレーに表示させるための信号を含んでいる」（構成要件Ｂ）点については何ら記載がなく、またそのような構成を示唆する記載もない。
　
　次に、訂正発明２（以下、「前者」という。）と刊行物２に記載された発明（以下、「後者」という。）とを対比すると、後者の「顧客」、「顧客計算機システム」、「中央サプライヤー」、及び「中央サプライヤーの中央計算機システム」は、それぞれ、前者の「ユーザー」、「ユーザー用機器」、「ディーラー」、及び「ディーラー用機器」に相当する。
　ここで、後者の「商品注文システム」は、流通の支援を行うものであるから、「流通支援設備」であるといえる。
　そうすると、両者は、
　ユーザーがそれぞれ使用するユーザー用機器と、各ユーザーと商談を行う立場にあるディーラーが使用するディーラー用機器とをそれぞれ通信可能とする流通支援設備、
である点で一致する。
　しかしながら、刊行物２には、前者のような「構成要件Ｂ」については何ら記載がなく、またそのような構成を示唆する記載もない。
　
　更に、刊行物３および４には、「ユーザーがそれぞれ使用するユーザー用機器と、ディーラーがそれぞれ使用するディーラー用機器と、これらディーラー用機器および前記ユーザー用機器とそれぞれ通信可能とするコンピュータシステムに、受注代行手段を具備させる」点が記載されているが、上記「構成要件Ｂ」については何ら記載がなく、またそのような構成を示唆する記載もない。
　
　そして、訂正発明２は、上記「構成要件Ｂ」を具備することにより、上記「効果Ａ」に加えて「ユーザーがディーラーのコンピュータに直接にアクセスしているのと同様な感覚で商品の物色を開始することができ、自らのためにカスタマイズされた各種表示を参照しながら所望の商品を注文するようなことも可能になる。そのため、ディーラーを常に意識しつつも、該ディーラーの店先に頻繁に出向いたり該ディーラーを度々呼び付けるようなことなしに、手軽に種々の商品を注文することが可能になる。」（段落【００８２】）という格別の効果を奏するものと認められる。
　
　以上のとおりであるから、訂正発明２は、刊行物１ないし４に記載された発明に基づいて当業者が容易に発明をすることができたものとは認められない。
　
（３）訂正発明３について
　訂正発明３（以下、「前者」という。）と刊行物１に記載された発明（以下、「後者」という。）とを対比すると、後者の「ユーザ」、「ユーザシステム」、「販売店」、及び「販売店システム」は、それぞれ、前者の「ユーザー」、「ユーザー用機器」、「ディーラー」、及び「ディーラー用機器」に相当する。
　ここで、後者の「オンラインショッピングシステム」は、流通の支援を行うものであるから、「流通支援設備」であるといえる。
　そうすると、両者は、
　ユーザーがそれぞれ使用するユーザー用機器と、各ユーザーと商談を行う立場にあるディーラーがそれぞれ使用するディーラー用機器とをそれぞれ通信可能とする流通支援設備、
である点で一致する。
　しかしながら、刊行物１には、前者のように、「ディーラー用機器およびユーザー用機器とそれぞれ通信可能なネットワークセンター用のコンピュータシステムに、前記ディーラー用機器と前記コンピュータシステムとの間の交信内容に基いて各ディーラーの各ユーザーに対する個別取引条件を特定し、その個別取引条件を商品関連データに付加してユーザー別商品データを作成するためのユーザー管理手段と、前記ユーザー用機器から前記コンピュータシステムに接続操作が行われた場合にユーザーおよびこのユーザーに対応するディーラーを特定し、このディーラー特有の応答信号を前記ユーザー用機器に返信する受注代行手段と、前記ユーザー用機器から前記コンピュータシステムに発信された発注情報に基いてユーザーが発注した商品を特定し、その商品を前記個別取引条件に見合う態様で前記ユーザーに提供できるようにするための処理を行う情報処理手段と、前記ユーザー別商品データを利用して個別取引条件を加味したユーザー別専用カタログを編集するカタログ編集手段とを具備させてなる」（構成要件Ｃ）点については何ら記載がなく、またそのような構成を示唆する記載もない。
　
　次に、訂正発明３（以下、「前者」という。）と刊行物２に記載された発明（以下、「後者」という。）とを対比すると、後者の「顧客」、「顧客計算機システム」、「中央サプライヤー」、及び「中央サプライヤーの中央計算機システム」は、それぞれ、前者の「ユーザー」、「ユーザー用機器」、「ディーラー」、及び「ディーラー用機器」に相当する。
　ここで、後者の「商品注文システム」は、流通の支援を行うものであるから、「流通支援設備」であるといえる。
　そうすると、両者は、
　ユーザーがそれぞれ使用するユーザー用機器と、各ユーザーと商談を行う立場にあるディーラーが使用するディーラー用機器とをそれぞれ通信可能とする流通支援設備、
である点で一致する。
　しかしながら、刊行物２には、前者のような「構成要件Ｃ」については何ら記載がなく、またそのような構成を示唆する記載もない。
　
　更に、刊行物３および４には、「ユーザーがそれぞれ使用するユーザー用機器と、ディーラーがそれぞれ使用するディーラー用機器と、これらディーラー用機器および前記ユーザー用機器とそれぞれ通信可能とするコンピュータシステムに、受注代行手段を具備させる」点が記載されているが、上記「構成要件Ｃ」については何ら記載がなく、またそのような構成を示唆する記載もない。
　
　そして、訂正発明３は、上記「構成要件Ｃ」を具備することにより、上記「効果Ａ」に加えて「価格その他の個別取引条件が加味されたユーザー別専用カタログを容易に作成することが可能になるため、ディーラーには販売促進のための強力な武器を供与することができ、また、ユーザーには大きな満足と取引の利便性を提供することができる。」（段落【００８３】）という格別の効果を奏するものと認められる。
　
　以上のとおりであるから、訂正発明３は、刊行物１ないし４に記載された発明に基づいて当業者が容易に発明をすることができたものとは認められない。
　
４−４．むすび
　したがって、訂正発明１ないし３は、本件特許出願の際独立して特許を受けることができるものであるから、本件訂正は、特許法第１２６条第４項の規定に適合するものである。
　
５．むすび
　以上のとおりであるから、本件訂正は、特許法第１２６条第１項ただし書第１号および第３号の規定に適合し、かつ、同条第２項ないし第４項の規定にも適合する。
　よって、結論のとおりに審決する。